(57)【要約】メモリカードを使用して機能設定を行う携帯端末装置において、同じカードの挿抜が繰り返された場合は、自動的に元の機能設定を復活させ、設定のやり直しを不要としてユーザの操作負担の軽減を図る。  挿入されたメモリカード１０からボリューム番号を読み出してボリューム番号記憶部１３に記憶するとともに、メモリカード１０に記憶されている特定のＪＰＥＧ画像ファイルを読み出し、機能設定制御部１６により壁紙設定を行う。また、機能設定情報をボリューム番号記憶部１３に記憶したボリューム番号とリンク付けして機能設定情報記憶部１５に記憶する。そして、メモリカード１０の抜き差しに際して、ボリューム番号を読み出してボリューム番号記憶部１３に記憶されているボリューム番号と比較し、両者が一致する場合に、機能設定制御部１６は、再挿入されたメモリカード１０に記憶され前回の壁紙設定時に使用した画像ファイルと、機能設定情報記憶部１５に記憶された機能設定情報を用いて壁紙の再設定を行う。【特許請求の範囲】
【請求項１】
識別情報を有する記憶媒体に接続可能な携帯端末装置であって、
記憶媒体から読み出したデータを用いて所定の機能設定を行う機能設定制御手段と、
前記機能設定制御手段により設定した機能設定情報を記憶する機能設定情報記憶手段と、
当該携帯端末装置に接続された記憶媒体の識別情報を記憶する識別情報記憶手段と、
を備え、
前記機能設定制御手段は、前記識別情報記憶手段に記憶された識別情報と再接続された記憶媒体の識別情報とが一致すると判定した場合、前記機能設定情報記憶手段に記憶された前記機能設定情報に基づいて、機能設定を行う携帯端末装置。
【請求項２】
請求項１に記載の携帯端末装置であって、
前記識別情報記憶手段は、前記機能設定制御手段が前記識別情報記憶手段に記憶された識別情報と再接続された記憶媒体の識別情報とが一致しないと判定した場合、前記識別情報記憶手段に記憶された前記識別情報を、前記再接続された記憶媒体の前記識別情報によって更新する携帯端末装置。
【請求項３】
請求項１に記載の携帯端末装置であって、
前記識別情報記憶手段は、前記機能設定制御手段が前記識別情報記憶手段に記憶された識別情報と再接続された記憶媒体の識別情報とが一致しないと判定した場合、前記識別情報記憶手段に記憶された前記識別情報を保持する携帯端末装置。
【請求項４】
請求項１から３のいずれか１項に記載の携帯端末装置であって、
前記記憶媒体は、識別情報を有するメモリカードである携帯端末装置。
【発明の詳細な説明】
【技術分野】
【０００１】  本発明は、コネクタ又はスロットに挿抜自在の記憶媒体に記憶された機能設定用ファイルを用いて機能設定を行う携帯端末装置に関する。
【背景技術】
【０００２】  近年の携帯電話やＰＤＡ等の携帯端末装置では、ユーザのカスタマイズにより機能を設定することが行われている。例えば、液晶ディスプレイに表示する着信待ち受け画面に、ユーザの好みに合わせてイラストやアニメーション等の画像を壁紙として設定することができる。【０００３】  従来、カスタマイズのための壁紙はＪＰＥＧ画像ファイルとしてメモリカードに記憶され、壁紙の設定に際し、所定のスロットに挿入したメモリカードから設定に使用する画像ファイルを一旦端末装置内のメモリにコピーし、ユーザの所定の操作により壁紙の設定を行っている（非特許文献１に記載）。
【非特許文献１】ムーバＰ５０６ｉＣ  取扱説明書  ８４頁
【発明の開示】
【発明が解決しようとする課題】
【０００４】  しかしながら、コピーした画像ファイルが端末装置のメモリ資産を圧迫するという問題があり、好ましいことではない。また、著作権等の問題によってメモリカードのファイルをコピーすることに制約が生じることも考えられ、この方法は将来的には使えなくなる恐れがある。【０００５】  一方、待ち受け画面等における壁紙の設定に際して、設定に使用する画像ファイルをメモリカードから直接読み込んで設定を行う例がある。しかしながら、この方法によると、挿入したメモリカードを端末装置から抜いてしまうと、その壁紙を設定するために使用した画像ファイルは設定対象から外さざるを得なくなり、設定した壁紙が削除されてしまうという問題があった。また、一旦抜いたメモリカードを再び端末装置に挿入し、同一の画像ファイルを使用して前回と同じ壁紙を設定するためには、端末装置において再度同じ手順を踏んで設定をやり直すという煩雑な操作が必要であった。【０００６】  本発明は、上記の事情に鑑みてなされたものであって、メモリカードを使用して機能の設定を行う携帯端末装置において、同一メモリカードの挿抜が繰り返された場合は、自動的に元の機能設定を復活させて設定のやり直しを不要とし、ユーザの操作負担を軽減することのできる携帯端末装置を提供することを目的とする。
【課題を解決するための手段】
【０００７】  本発明に係る携帯端末装置は、識別情報を有する記憶媒体に接続可能な携帯端末装置であって、記憶媒体から読み出したデータを用いて所定の機能設定を行う機能設定制御手段と、前記機能設定制御手段により設定した機能設定情報を記憶する機能設定情報記憶手段と、当該携帯端末装置に接続された記憶媒体の識別情報を記憶する識別情報記憶手段と、を備え、前記機能設定制御手段は、前記識別情報記憶手段に記憶された識別情報と再接続された記憶媒体の識別情報とが一致すると判定した場合、前記機能設定情報記憶手段に記憶された前記機能設定情報に基づいて、機能設定を行うものである。【０００８】  この構成により、同一記憶媒体の挿抜などによって接続状態が切り替えられた場合に、自動的に元の機能設定を復活させることができるので、設定のやり直しが不要になり、ユーザの操作負担を軽減することが可能となる。なお、記憶媒体が挿入された状態で電源が遮断、投入と切り替えられた場合も同様に、自動的に元の機能設定を復活させることができる、すなわち、携帯端末装置と記憶媒体との間で通信状態が遮断、開通と切り替わった場合に、本発明を適用することができる。【０００９】  さらに、本発明の一態様として、上記の携帯端末装置であって、前記識別情報記憶手段が、前記機能設定制御手段が前記識別情報記憶手段に記憶された識別情報と再接続された記憶媒体の識別情報とが一致しないと判定した場合、前記識別情報記憶手段に記憶された前記識別情報を、前記再接続された記憶媒体の前記識別情報によって更新するものも含まれる。【００１０】  この構成により、再挿入された記憶媒体に記憶されたファイルを用いて機能設定を行い、同一記憶媒体の挿抜が繰り返された場合に、自動的に元の機能設定を復活させることができるので、設定のやり直しが不要になり、ユーザの操作負担を軽減することが可能となる。【００１１】  また、本発明の一態様として、上記の携帯端末装置であって、前記識別情報記憶手段が、前記機能設定制御手段が前記識別情報記憶手段に記憶された識別情報と再接続された記憶媒体の識別情報とが一致しないと判定した場合、前記識別情報記憶手段に記憶された前記識別情報を保持するものも含まれる。【００１２】  この構成により、同一記憶媒体の挿抜が繰り返された場合にのみ、自動的に元の機能設定を復活させることができるので、設定のやり直しが不要になり、ユーザの操作負担を軽減することが可能となる。【００１３】  また、本発明の一態様として、上記の携帯端末装置であって、前記記憶手段が識別情報を有するメモリカードであるものも含まれる。【００１４】  この構成により、同一メモリカードの挿抜が繰り返された場合にのみ、自動的に元の機能設定を復活させることができるので、設定のやり直しが不要になり、ユーザの操作負担を軽減することが可能となる。
【発明の効果】
【００１５】  本発明の携帯端末装置によれば、メモリカードを使用して機能の設定を行う携帯端末装置において、同一メモリカードの挿抜が繰り返された場合は、自動的に元の機能設定を復活させて設定のやり直しを不要とし、ユーザの操作負担を軽減することのできる携帯端末装置を提供できる。
【図面の簡単な説明】
【００１６】
【図１】本発明の実施形態に係る携帯端末装置の概略構成を示す図
【図２】本発明の実施形態に係る携帯端末装置のメモリカード挿入時における初期設定の動作手順を説明するためのフローチャート
【図３】本発明の実施形態に係る携帯端末装置のメモリカード再挿入時における動作手順を説明するためのフローチャート
【図４】本発明の実施形態に係る携帯端末装置のメモリカード再挿入時における他の動作手順を説明するためのフローチャート
【符号の説明】
【００１７】  １  携帯端末装置
１０  メモリカード
１１  メモリカード挿抜検出部
１２  メモリカード入出力制御部
１３  ボリューム番号記憶部
１４  状態判定処理部
１５  機能設定情報記憶部
１６  機能設定制御部
１７  表示部
１８  スピーカ
【発明を実施するための最良の形態】
【００１８】  以下、本発明に係る携帯端末装置の実施形態について、図面を用いて説明する。本実施形態では、携帯端末装置の所定のスロットに挿抜自在のメモリカードを用い、待ち受け表示画面に壁紙を設定する場合を例示する。まず、本発明の実施形態に係る携帯端末装置の概要を説明する。【００１９】  図１は、携帯端末装置の概略構成を示す図である。携帯端末装置１は、メモリカード１０の所定のスロットへの挿抜を検出するメモリカード挿抜検出部１１と、メモリカード１０のボリューム番号やファイル情報の読み込みを制御するメモリカード入出力制御部１２と、メモリカード１０のボリューム番号を記憶するための不揮発性メモリからなるボリューム番号記憶部１３と、再挿入されたメモリカード１０のボリューム番号がボリューム番号記憶部１３記憶されているボリューム番号と一致するか否かを判定する状態判定処理部１４と、機能設定の種別情報や、メモリカード１０に予め記憶され、壁紙の設定を行う際に使用するファイルのＩＤ番号及び名称等の機能設定値情報を記憶するための不揮発性メモリからなる機能設定情報記憶部１５と、壁紙の設定を制御する機能設定制御部１６と、設定した壁紙の待ち受け画面を表示する表示部１７と、着信メロディ音を出力するスピーカ１８を備える構成である。【００２０】  なお、メモリカードのボリューム番号は、１６バイトの情報サイズを有し、カード製造会社のコード番号と製造番号がカードごとにユニークに記録されているものである。また、ボリューム番号等の識別番号が付与されていない種類のメモリカードにおいて、カード内のファイル情報を用いて機能設定する場合は、日時情報を基にした番号を自動的に生成し、それをカード内に記録することによりボリューム番号の代わりとすることができる。このときのデータサイズは、ボリュームが識別可能な情報量であればよい。【００２１】  また、ボリューム番号記憶部１３及び機能設定情報記憶部１５を構成する不揮発性メモリとしては、携帯端末装置１に備えられたＦＲＯＭ等の内部メモリ、ハードディスク等の記憶媒体等が使用可能である。【００２２】  次に、以上のように構成された携帯端末装置１の動作について、図２〜図４に示すフローチャートを用いて説明する。図２は、メモリカードが挿入されてボリューム番号や機能設定値情報を登録する初期設定時における携帯端末装置１の動作手順を説明するためのフローチャートである。【００２３】  まず、壁紙の設定時における携帯端末装置１の動作について説明する。図２は、メモリカードが挿入されて壁紙設定を行う際の携帯端末装置１の動作手順を説明するためのフローチャートである。【００２４】  ステップＳ１０１において、メモリカード挿抜検出部１１は、メモリカード１０が挿入されているか否かを検出し、挿入されていることが検出された場合は、メモリカード入出力制御部１２に対しメモリカード１０のボリューム番号の読み出しを指示する。【００２５】  指示を受けたメモリカード入出力制御部１２は、メモリカード１０に記録されているボリューム番号を読み出して（ステップＳ１０２）、ボリューム番号記憶部１３に記憶するとともに、壁紙を設定する際に使用する特定のＪＰＥＧ画像ファイル情報をメ��リカード１０から読み出して機能設定制御部１６に送る。【００２６】  機能設定制御部１６は、送られたＪＰＥＧ画像ファイル情報を用いて、表示部１７に壁紙を設定する（ステップＳ１０４）とともに、機能設定情報をボリューム番号記憶部１３に記憶したボリューム番号とリンク付けして機能設定情報記憶部１５に記憶する（ステップＳ１０５）。この機能設定情報は、壁紙設定に際して必要となる各種の情報であり、機能設定の種別情報、壁紙設定に使用するファイル名及びファイルＩＤ番号等の識別情報を含むものである。【００２７】  前述したように、ボリューム番号記憶部１３及び機能設定情報記憶部１５は不揮発性メモリから構成されているので、メモリカード１０が抜かれた後もメモリカード１０のボリューム番号と機能設定情報がリンク付けされた状態で保持される。【００２８】  次に、挿入されたメモリカード１０が抜かれ、再び挿入された場合における携帯端末装置１の動作について説明する。図３は、メモリカード１０が再挿入されて壁紙設定を行う際の携帯端末装置１の動作手順を説明するためのフローチャートである。【００２９】  ステップＳ２０１において、メモリカード挿抜検出部１１によりメモリカード１０がスロットに挿入されているか否かを検出し、挿入されていた場合は、メモリカード入出力制御部１２にメモリカード１０のボリューム番号の読み出しを指示する。【００３０】  メモリカード入出力制御部１２は、挿入されたメモリカード１０に記録されているボリューム番号を読み出して状態判定処理部１４に通知する（ステップＳ２０２）。状態判定処理部１４は、読み出したボリューム番号と、ボリューム番号記憶部１３に記憶されている前回挿入時のメモリカード１０のボリューム番号とを比較して、両者が一致するか否かを判定する（ステップＳ２０３）。【００３１】  判定の結果、ボリューム番号が一致する場合は、前回のボリューム番号に対応して行った壁紙設定を復活するよう機能設定制御部１６に指示する。機能設定制御部１６は、前回のボリューム番号にリンク付けされて機能設定情報記憶部１５に記憶された機能設定情報を読み出す（ステップＳ２０４）。【００３２】  続いて、今回挿入されたメモリカード１０に壁紙設定対象のＪＰＥＧ画像ファイル情報があるか否かを判定する（ステップＳ２０５）。その結果、メモリカード１０に設定対象のファイル情報がある場合は、メモリカード入出力制御部１２に指示してそれを読み出し（ステップＳ２０６）、機能設定制御部１６は、読み出されたファイル情報を用い、機能設定情報に従って表示部１７に壁紙の再設定を行う（ステップＳ２０７）。【００３３】  一方、ステップＳ２０３において、今回挿入されたメモリカード１０のボリューム番号とボリューム番号記憶部１３に記憶されているボリューム番号が一致しなかった場合は、今回挿入されたメモリカードのボリューム番号を、ボリューム番号記憶部１３に記憶された前回のメモリカード１０のボリューム番号に上書き記憶して（ステップＳ２０８）処理を終了する。また、ステップＳ２０５でメモリカード１０内に設定対象の画像ファイル情報がなかった場合も、同様に今回挿入されたメモリカードのボリューム番号をボリューム番号記憶���１３上書き記憶して（ステップＳ２０８）処理を終了する。【００３４】  本実施形態においては、ステップＳ２０８の処理工程がある場合とない場合とを選択することができる。図４は、今回挿入されたメモリカード１０のボリューム番号と前回のメモリカード１０のボリューム番号が一致しない場合の処理手順を説明するためのフローチャートである。【００３５】  図４において、ステップＳ３０１〜Ｓ３０７の処理手順は、図３のステップＳ３０１〜Ｓ３０７の処理手順と同じであり説明を省略する。【００３６】  ステップＳ３０３において、今回挿入されたメモリカード１０のボリューム番号と、ボリューム番号記憶部１３に記憶されたメモリカード１０のボリューム番号が一致しないと判定された場合、及びステップＳ３０５でメモリカード１０内に設定対象の画像ファイル情報がないと判定された場合は、何らの処理も行うことなく終了する。【００３７】  なお、上述した携帯端末装置の動作手順では、機能設定として壁紙設定について説明したが、同様の手順で図１に示したスピーカ１８を鳴動させる着信メロディの設定や、電話帳への画像設定等を行うことができる。また、メモリカードに格納されたアプリケーションを電源の投入時に自動的に起動するような機能を設定することも可能である。【００３８】  以上説明したように、このような本発明に係る実施形態の携帯端末装置によれば、挿入されたメモリカード１０からボリューム番号を読み出してボリューム番号記憶部１３に記憶するとともに、メモリカード１０に記憶されている特定のＪＰＥＧ画像ファイルを読み出して、機能設定制御部１６により壁紙設定を行う。また、壁紙設定に際して必要となる機能設定情報をボリューム番号記憶部１３に記憶したボリューム番号とリンク付けして機能設定情報記憶部１５に記憶する。【００３９】  そして、メモリカード１０が一旦抜き出されて再度挿入された際に、ボリューム番号を読み出してボリューム番号記憶部１３に記憶されているボリューム番号と比較し、両者が一致する場合は、再挿入されたメモリカードから前回の壁紙設定時に使用した画像ファイルを読み出すとともに、機能設定制御部１６は機能設定情報記憶部１５に記憶された機能設定情報を参照しながら壁紙の再設定を行う。【００４０】  これにより、メモリカードが挿抜された際に自動的に元の壁紙設定が復活するので、設定をやり直すという煩雑な操作が不要となり、ユーザの操作負担を大幅に軽減することができる。【００４１】  なお、本実施形態においては、本発明を携帯電話やＰＤＡ等の携帯端末装置に適用する例について説明したが、これに限定されるものではなく、例えば、不揮発性メモリを備えた外部記憶装置を用いて機能設定を行うパソコン等の端末装置に適用できることはいうまでもない。【００４２】  本発明を詳細にまた特定の実施態様を参照して説明したが、本発明の精神と範囲を逸脱することなく様々な変更や修正を加えることができることは当業者にとって明らかである。【００４３】  本出願は、２００５年８月１９日出願の日本特許出願（特願２００５−２３８７８８）に基づくものであり、その内容はここに参照として取り込まれる。
【産業上の利用可能性】
【００４４】  本発明の機器の携帯端末装置は、メモリカードを使用して機能の設定を行う携帯端末装置において、同一メモリカードの挿抜が繰り返された場合は、自動的に元の機能設定を復活させて設定のやり直しを不要とし、ユーザの操作負担を軽減することのできる携帯端末装置を提供できる効果を有し、携帯電話やＰＤＡ、パソコン等の端末装置に有用である。
【図１】
2007020857.tif 000002
【図２】
2007020857.tif 000003
【図３】
2007020857.tif 000004
【図４】
2007020857.tif 000005
【手続補正書】
【提出日】平成19年2月13日(2007.2.13)
【手続補正１】
【補正対象書類名】特許請求の範囲
【補正対象項目名】全文
【補正方法】変更
【補正の内容】
【特許請求の範囲】
【請求項１】
識別情報を有する記憶媒体に接続可能な携帯端末装置であって、
記憶媒体から読み出したデータを用いて所定の機能設定を行う機能設定制御手段と、
前記機能設定制御手段により設定した機能設定情報を記憶する機能設定情報記憶手段と、
当該携帯端末装置に接続された記憶媒体の識別情報を記憶する識別情報記憶手段と、
を備え、
前記機能設定制御手段は、前記識別情報記憶手段に記憶された識別情報と再接続された記憶媒体の識別情報とが一致すると判定した場合、前記機能設定情報記憶手段に記憶された前記機能設定情報に基づいて、機能設定を行う携帯端末装置。
【請求項２】
請求項１に記載の携帯端末装置であって、
前記識別情報記憶手段は、前記機能設定制御手段が前記識別情報記憶手段に記憶された識別情報と再接続された記憶媒体の識別情報とが一致しないと判定した場合、前記識別情報記憶手段に記憶された前記識別情報を、前記再接続された記憶媒体の前記識別情報によって更新する携帯端末装置。
【請求項３】
請求項１に記載の携帯端末装置であって、
前記識別情報記憶手段は、前記機能設定制御手段が前記識別情報記憶手段に記憶された識別情報と再接続された記憶媒体の識別情報とが一致しないと判定した場合、前記識別情報記憶手段に記憶された前記識別情報を保持する携帯端末装置。
【請求項４】
請求項１から３のいずれか１項に記載の携帯端末装置であって、
前記記憶媒体は、識別情報を有するメモリカードである携帯端末装置。
【手続補正２】
【補正対象書類名】明細書
【補正対象項目名】全文
【補正方法】変更
【補正の内容】
【発明の詳細な説明】
【技術分野】
【０００１】
本発明は、コネクタ又はスロットに挿抜自在の記憶媒体に記憶された機能設定用ファイルを用いて機能設定を行う携帯端末装置に関する。
【背景技術】
【０００２】
近年の携帯電話やＰＤＡ等の携帯端末装置では、ユーザのカスタマイズにより機能を設定することが行われている。例えば、液晶ディスプレイに表示する着信待ち受け画面に、ユーザの好みに合わせてイラストやアニメーション等の画像を壁紙として設定することができる。
【０００３】
従来、カスタマイズのための壁紙はＪＰＥＧ画像ファイルとしてメモリカードに記憶され、壁紙の設定に際し、所定のスロットに挿入したメモリカードから設定に使用する画像ファイルを一旦端末装置内のメモリにコピーし、ユーザの所定の操作により壁紙の設定を行っている（非特許文献１に記載）。
【非特許文献１】ムーバＰ５０６ｉＣ  取扱説明書  ８４頁
【発明の開示】
【発明が解決しようとする課題】
【０００４】
しかしながら、コピーした画像ファイルが端末装置のメモリ資産を圧迫するという問題があり、好ましいことではない。また、著作権等の問題によってメモリカードのファイルをコピーすることに制約が生じることも考えられ、この方法は将来的には使えなくなる恐れがある。
【０００５】
一方、待ち受け画面等における壁紙の設定に際して、設定に使用する画像ファイルをメモリカードから直接読み込んで設定を行う例がある。しかしながら、この方法によると、挿入したメモリカードを端末装置から抜いてしまうと、その壁紙を設定するために使用した画像ファイルは設定対象から外さざるを得なくなり、設定した壁紙が削除されてしまうという問題があった。また、一旦抜いたメモリカードを再び端末装置に挿入し、同一の画像ファイルを使用して前回と同じ壁紙を設定するためには、端末装置において再度同じ手順を踏んで設定をやり直すという煩雑な操作が必要であった。
【０００６】
本発明は、上記の事情に鑑みてなされたものであって、メモリカードを使用して機能の設定を行う携帯端末装置において、同一メモリカードの挿抜が繰り返された場合は、自動的に元の機能設定を復活させて設定のやり直しを不要とし、ユーザの操作負担を軽減することのできる携帯端末装置を提供することを目的とする。
【課題を解決するための手段】
【０００７】
本発明に係る携帯端末装置は、識別情報を有する記憶媒体に接続可能な携帯端末装置であって、記憶媒体から読み出したデータを用いて所定の機能設定を行う機能設定制御手段と、前記機能設定制御手段により設定した機能設定情報を記憶する機能設定情報記憶手段と、当該携帯端末装置に接続された記憶媒体の識別情報を記憶する識別情報記憶手段と、を備え、前記機能設定制御手段は、前記識別情報記憶手段に記憶された識別情報と再接続された記憶媒体の識別情報とが一致すると判定した場合、前記機能設定情報記憶手段に記憶された前記機能設定情報に基づいて、機能設定を行うものである。
【０００８】
この構成により、同一記憶媒体の挿抜などによって接続状態が切り替えられた場合に、自動的に元の機能設定を復活させることができるので、設定のやり直しが不要になり、ユーザの操作負担を軽減することが可能となる。なお、記憶媒体が挿入された状態で電源が遮断、投入と切り替えられた場合も同様に、自動的に元の機能設定を復活させることができる、すなわち、携帯端末装置と記憶媒体との間で通信状態が遮断、開通と切り替わった場合に、本発明を適用することができる。
【０００９】
さらに、本発明の一態様として、上記の携帯端末装置であって、前記識別情報記憶手段が、前記機能設定制御手段が前記識別情報記憶手段に記憶された識別情報と再接続された記憶媒体の識別情報とが一致しないと判定した場合、前記識別情報記憶手段に記憶された前記識別情報を、前記再接続された記憶媒体の前記識別情報によって更新するものも含まれる。
【００１０】
この構成により、再挿入された記憶媒体に記憶されたファイルを用いて機能設定を行い、同一記憶媒体の挿抜が繰り返された場合に、自動的に元の機能設定を復活させることができるので、設定のやり直しが不要になり、ユーザの操作負担を軽減することが可能となる。
【００１１】
また、本発明の一態様として、上記の携帯端末装置であって、前記識別情報記憶手段が、前記機能設定制御手段が前記識別情報記憶手段に記憶された識別情報と再接続された記憶媒体の識別情報とが一致しないと判定した場合、前記識別情報記憶手段に記憶された前記識別情報を保持するものも含まれる。
【００１２】
この構成により、同一記憶媒体の挿抜が繰り返された場合にのみ、自動的に元の機能設定を復活させることができるので、設定のやり直しが不要になり、ユーザの操作負担を軽減することが可能となる。
【００１３】
また、本発明の一態様として、上記の携帯端末装置であって、前記記憶手段が識別情報を有するメモリカードであるものも含まれる。
【００１４】
この構成により、同一メモリカードの挿抜が繰り返された場合にのみ、自動的に元の機能設定を復活させることができるので、設定のやり直しが不要になり、ユーザの操作負担を軽減することが可能となる。
【発明の効果】
【００１５】
本発明の携帯端末装置によれば、メモリカードを使用して機能の設定を行う携帯端末装置において、同一メモリカードの挿抜が繰り返された場合は、自動的に元の機能設定を復活させて設定のやり直しを不要とし、ユーザの操作負担を軽減することのできる携帯端末装置を提供できる。
【発明を実施するための最良の形態】
【００１６】
以下、本発明に係る携帯端末装置の実施形態について、図面を用いて説明する。本実施形態では、携帯端末装置の所定のスロットに挿抜自在のメモリカードを用い、待ち受け表示画面に壁紙を設定する場合を例示する。まず、本発明の実施形態に係る携帯端末装置の概要を説明する。
【００１７】
図１は、携帯端末装置の概略構成を示す図である。携帯端末装置１は、メモリカード１０の所定のスロットへの挿抜を検出するメモリカード挿抜検出部１１と、メモリカード１０のボリューム番号やファイル情報の読み込みを制御するメモリカード入出力制御部１２と、メモリカード１０のボリューム番号を記憶するための不揮発性メモリからなるボリューム番号記憶部１３と、再挿入されたメモリカード１０のボリューム番号がボリューム番号記憶部１３記憶されているボリューム番号と一致するか否かを判定する状態判定処理部１４と、機能設定の種別情報や、メモリカード１０に予め記憶され、壁紙の設定を行う際に使用するファイルのＩＤ番号及び名称等の機能設定値情報を記憶するための不揮発性メモリからなる機能設定情報記憶部１５と、壁紙の設定を制御する機能設定制御部１６と、設定した壁紙の待ち受け画面を表示する表示部１７と、着信メロディ音を出力するスピーカ１８を備える構成である。
【００１８】
なお、メモリカードのボリューム番号は、１６バイトの情報サイズを有し、カード製造会社のコード番号と製造番号がカードごとにユニークに記録されているものである。また、ボリューム番号等の識別番号が付与されていない種類のメモリカードにおいて、カード内のファイル情報を用いて機能設定する場合は、日時情報を基にした番号を自動的に生成し、それをカード内に記録することによりボリューム番号の代わりとすることができる。このときのデータサイズは、ボリュームが識別可能な情報量であればよい。
【００１９】
また、ボリューム番号記憶部１３及び機能設定情報記憶部１５を構成する不揮発性メモリとしては、携帯端末装置１に備えられたＦＲＯＭ等の内部メモリ、ハードディスク等の記憶媒体等が使用可能である。
【００２０】
次に、以上のように構成された携帯端末装置１の動作について、図２〜図４に示すフローチャートを用いて説明する。図２は、メモリカードが挿入されてボリューム番号や機能設定値情報を登録する初期設定時における携帯端末装置１の動作手順を説明するためのフローチャートである。
【００２１】
まず、壁紙の設定時における携帯端末装置１の動作について説明する。図２は、メモリカードが挿入されて壁紙設定を行う際の携帯端末装置１の動作手順を説明するためのフローチャートである。
【００２２】
ステップＳ１０１において、メモリカード挿抜検出部１１は、メモリカード１０が挿入されているか否かを検出し、挿入されていることが検出された場合は、メモリカード入出力制御部１２に対しメモリカード１０のボリューム番号の読み出しを指示する。
【００２３】
指示を受けたメモリカード入出力制御部１２は、メモリカード１０に記録されているボリューム番号を読み出して（ステップＳ１０２）、ボリューム番号記憶部１３に記憶するとともに、壁紙を設定する際に使用する特定のＪＰＥＧ画像ファイル情報をメモリカード１０から読み出して機能設定制御部１６に送る。
【００２４】
機能設定制御部１６は、送られたＪＰＥＧ画像ファイル情報を用いて、表示部１７に壁紙を設定する（ステップＳ１０４）とともに、機能設定情報をボリューム番号記憶部１３に記憶したボリューム番号とリンク付けして機能設定情報記憶部１５に記憶する（ステップＳ１０５）。この機能設定情報は、壁紙設定に際して必要となる各種の情報であり、機能設定の種別情報、壁紙設定に使用するファイル名及びファイルＩＤ番号等の識別情報を含むものである。
【００２５】
前述したように、ボリューム番号記憶部１３及び機能設定情報記憶部１５は不揮発性メモリから構成されているので、メモリカード１０が抜かれた後もメモリカード１０のボリューム番号と機能設定情報がリンク付けされた状態で保持される。
【００２６】
次に、挿入されたメモリカード１０が抜かれ、再び挿入された場合における携帯端末装置１の動作について説明する。図３は、メモリカード１０が再挿入されて壁紙設定を行う際の携帯端末装置１の動作手順を説明するためのフローチャートである。
【００２７】
ステップＳ２０１において、メモリカード挿抜検出部１１によりメモリカード１０がスロットに挿入されているか否かを検出し、挿入されていた場合は、メモリカード入出力制御部１２にメモリカード１０のボリューム番号の読み出しを指示する。
【００２８】
メモリカード入出力制御部１２は、挿入されたメモリカード１０に記録されているボリューム番号を読み出して状態判定処理部１４に通知する（ステップＳ２０２）。状態判定処理部１４は、読み出したボリューム番号と、ボリューム番号記憶部１３に記憶されている前回挿入時のメモリカード１０のボリューム番号とを比較して、両者が一致するか否かを判定する（ステップＳ２０３）。
【００２９】
判定の結果、ボリューム番号が一致する場合は、前回のボリューム番号に対応して行った壁紙設定を復活するよう機能設定制御部１６に指示する。機能設定制御部１６は、前回のボリューム番号にリンク付けされて機能設定情報記憶部１５に記憶された機能設定情報を読み出す（ステップＳ２０４）。
【００３０】
続いて、今回挿入されたメモリカード１０に壁紙設定対象のＪＰＥＧ画像ファイル情報があるか否かを判定する（ステップＳ２０５）。その結果、メモリカード１０に設定対象のファイル情報がある場合は、メモリカード入出力制御部１２に指示してそれを読み出し（ステップＳ２０６）、機能設定制御部１６は、読み出されたファイル情報を用い、機能設定情報に従って表示部１７に壁紙の再設定を行う（ステップＳ２０７）。
【００３１】
一方、ステップＳ２０３において、今回挿入されたメモリカード１０のボリューム番号とボリューム番号記憶部１３に記憶されているボリューム番号が一致しなかった場合は、今回挿入されたメモリカードのボリューム番号を、ボリューム番号記憶部１３に記憶された前回のメモリカード１０のボリューム番号に上書き記憶して（ステップＳ２０８）処理を終了する。また、ステップＳ２０５でメモリカード１０内に設定対象の画像ファイル情報がなかった場合も、同様に今回挿入されたメモリカードのボリューム番号をボリューム番号記憶部１３上書き記憶して（ステップＳ２０８）処理を終了する。
【００３２】
本実施形態においては、ステップＳ２０８の処理工程がある場合とない場合とを選択することができる。図４は、今回挿入されたメモリカード１０のボリューム番号と前回のメモリカード１０のボリューム番号が一致しない場合の処理手順を説明するためのフローチャートである。
【００３３】
図４において、ステップＳ３０１〜Ｓ３０７の処理手順は、図３のステップＳ３０１〜Ｓ３０７の処理手順と同じであり説明を省略する。
【００３４】
ステップＳ３０３において、今回挿入されたメモリカード１０のボリューム番号と、ボリューム番号記憶部１３に記憶されたメモリカード１０のボリューム番号が一致しないと判定された場合、及びステップＳ３０５でメモリカード１０内に設定対象の画像ファイル情報がないと判定された場合は、何らの処理も行うことなく終了する。
【００３５】
なお、上述した携帯端末装置の動作手順では、機能設定として壁紙設定について説明したが、同様の手順で図１に示したスピーカ１８を鳴動させる着信メロディの設定や、電話帳への画像設定等を行うことができる。また、メモリカードに格納されたアプリケーションを電源の投入時に自動的に起動するような機能を設定することも可能である。
【００３６】
以上説明したように、このような本発明に係る実施形態の携帯端末装置によれば、挿入されたメモリカード１０からボリューム番号を読み出してボリューム番号記憶部１３に記憶するとともに、メモリカード１０に記憶されている特定のＪＰＥＧ画像ファイルを読み出して、機能設定制御部１６により壁紙設定を行う。また、壁紙設定に際して必要となる機能設定情報をボリューム番号記憶部１３に記憶したボリューム番号とリンク付けして機能設定情報記憶部１５に記憶する。
【００３７】
そして、メモリカード１０が一旦抜き出されて再度挿入された際に、ボリューム番号を読み出してボリューム番号記憶部１３に記憶されているボリューム番号と比較し、両者が一致する場合は、再挿入されたメモリカードから前回の壁紙設定時に使用した画像ファイルを読み出すとともに、機能設定制御部１６は機能設定情報記憶部１５に記憶された機能設定情報を参照しながら壁紙の再設定を行う。
【００３８】
これにより、メモリカードが挿抜された際に自動的に元の壁紙設定が復活するので、設定をやり直すという煩雑な操作が不要となり、ユーザの操作負担を大幅に軽減することができる。
【００３９】
なお、本実施形態においては、本発明を携帯電話やＰＤＡ等の携帯端末装置に適用する例について説明したが、これに限定されるものではなく、例えば、不揮発性メモリを備えた外部記憶装置を用いて機能設定を行うパソコン等の端末装置に適用できることはいうまでもない。
【００４０】
本発明を詳細にまた特定の実施態様を参照して説明したが、本発明の精神と範囲を逸脱することなく様々な変更や修正を加えることができることは当業者にとって明らかである。
【００４１】
本出願は、2005年8月19日出願の日本特許出願（特願2005−238788）に基づくものであり、その内容はここに参照として取り込まれる。
【産業上の利用可能性】
【００４２】
本発明の機器の携帯端末装置は、メモリカードを使用して機能の設定を行う携帯端末装置において、同一メモリカードの挿抜が繰り返された場合は、自動的に元の機能設定を復活させて設定のやり直しを不要とし、ユーザの操作負担を軽減することのできる携帯端末装置を提供できる効果を有し、携帯電話やＰＤＡ、パソコン等の端末装置に有用である。
【図面の簡単な説明】
【００４３】
【図１】本発明の実施形態に係る携帯端末装置の概略構成を示す図
【図２】本発明の実施形態に係る携帯端末装置のメモリカード挿入時における初期設定の動作手順を説明するためのフローチャート
【図３】本発明の実施形態に係る携帯端末装置のメモリカード再挿入時における動作手順を説明するためのフローチャート
【図４】本発明の実施形態に係る携帯端末装置のメモリカード再挿入時における他の動作手順を説明するためのフローチャート
【符号の説明】
【００４４】
１  携帯端末装置
１０  メモリカード
１１  メモリカード挿抜検出部
１２  メモリカード入出力制御部
１３  ボリューム番号記憶部
１４  状態判定処理部
１５  機能設定情報記憶部
１６  機能設定制御部
１７  表示部
１８  スピーカ
【手続補正３】
【補正対象書類名】図面
【補正対象項目名】全図
【補正方法】変更
【補正の内容】
【図１】
2007020857.tif 000006
【図２】
2007020857.tif 000007
【図３】
2007020857.tif 000008
【図４】
2007020857.tif 000009
【国際調査報告】
2007020857.tif 000010
2007020857.tif 000011
2007020857.tif 000012